(57)【要約】【課題】  指の怪我を防止し、且つ最適なタイミングでキャスティングできるリールシートカバー及びリールシートを提供する。【解決手段】  本発明のリールシートカバー1は、リールシート40の少なくとも一部を覆うカバー本体10と、カバー本体をリールシートに固定するための固定手段20と、可撓性を有する部材であり、その一方の端部がカバー本体に固定される道糸保持部30とを備えており、釣竿に取り付けられた状態で、道糸保持部の他方の端部は釣竿先端方向に位置しており、他方の端部が竿尻側に屈曲することで形成される環状部32に道糸51を通し、他方の端部を指で押さえて保持する。釣り人は釣竿振り出し中に道糸に生じる張力の変化を指先で敏感に感じとり、最適なタイミングと判断したときに指を離す。キャスティング中に道糸が釣り人の指と接触しないため指の怪我を防止でき、且つ最適なタイミングでキャスティングすることで飛距離をのばすことができる。【選択図】図1
2019071856.tif 000002
【特許請求の範囲】
【請求項１】
リールシートの少なくとも一部を覆うカバー本体と、
前記カバー本体をリールシートに固定するための固定手段と、
可撓性を有する部材であり、その一方の端部が前記カバー本体に固定される道糸保持部とを備えており、
前記道糸保持部の他方の端部が竿尻側に屈曲することで形成される環状部に道糸を通して保持することを特徴とするリールシートカバー。
【請求項２】
前記道糸保持部が前記カバー本体に対して脱着自在であることを特徴とする請求項1又は2に記載のリールシートカバー。
【請求項３】
可撓性を有する部材であり、その一方の端部がリールシート本体に固定される道糸保持部を備えており、
前記道糸保持部の他方の端部が竿尻側に屈曲することで形成される環状部に道糸を通して保持することを特徴とするリールシート。
【発明の詳細な説明】
【技術分野】
【０００１】
本発明は、指の怪我を防止し、且つ最適なタイミングでキャスティングできるリールシートカバー及びリールシートに関する。
【背景技術】
【０００２】
投げ釣りでは釣竿先端の糸ガイドから釣針及び錘を垂らしておき、釣竿のリールシート付近を釣り人が握った状態で、リールのスプールからのびる道糸（力糸）を指の腹や第一関節に引掛けておく。そして、釣竿を後方から前方に振り出す間の所定のタイミングで指を道糸から離してキャスティングする。
ここで、例えば遠投の際には錘の重量を増して釣竿を勢い良く振り出す必要があり、錘の遠心力によって道糸の張力が増大するため指に痛みが生じたり、指が切れたりすることがある。したがってフィンガープロテクター等で指を保護することが多い。
このような事情を考慮して特許文献1には指止めと突起片を備えた糸操作器具が開示されている。釣り人は道糸を突起片と指に引っ掛けておき、釣竿振り出し時に指を指止めから離すことで道糸が突起片から外れる。この糸操作器具によれば釣竿振り出し時に生じる糸の張力の大部分を突起片で受け止めるため、指の負担が少なくなり、怪我が生じにくい。
また、特許文献2にはレバーと引掛部を備えた投げ釣用釣糸引掛装置が開示されている。釣竿振り出し時に指でレバーを引き、釣糸を引っ掛けていた引掛部の係止を解除する。この装置によれば糸の張力の全てを引掛部で受け止めるため、指にほとんど負担が生じず、怪我が生じにくい。
【先行技術文献】
【特許文献】
【０００３】
【特許文献１】特開2012−85638号公報
【特許文献２】実用新案登録第3039208号公報
【発明の概要】
【発明が解決しようとする課題】
【０００４】
しかし、上記特許文献1及び2に開示された技術では次のような問題がある。
すなわち、釣り人は釣竿振り出し中に道糸に生じる張力の変化を指先で敏感に感じ取り、最適なタイミングと判断したとき（例えば遠心力が最大になったと判断したとき）に道糸を指から離す必要がある。
上記特許文献1及び2の技術では、道糸に生じる張力の大部分又は全てを指以外の部位（突起片又は引掛部）で受け止めるため、釣り人は張力の変化を指先で感じ辛く、最適なタイミングでキャスティングすることが難しいという問題があった。
【０００５】
本発明はこのような問題を考慮して、指の怪我を防止し、且つ最適なタイミングでキャスティングできるリールシートカバー及びリールシートを提供することを目的とする。
【課題を解決するための手段】
【０００６】
本発明のリールシートカバーは、リールシートの少なくとも一部を覆うカバー本体と、前記カバー本体をリールシートに固定するための固定手段と、可撓性を有する部材であり、その一方の端部が前記カバー本体に固定される道糸保持部とを備えており、前記道糸保持部の他方の端部が竿尻側に屈曲することで形成される環状部に道糸を通して保持することを特徴とする。
また、前記道糸保持部が前記カバー本体に対して脱着自在であることを特徴とする。
本発明のリールシートは、可撓性を有する部材であり、その一方の端部がリールシート本体に固定される道糸保持部を備えており、前記道糸保持部の他方の端部が竿尻側に屈曲することで形成される環状部に道糸を通して保持することを特徴とする。
【発明の効果】
【０００７】
本発明では、道糸保持部の他方の端部（自由端）を釣り人が指でリールシートの表面に押さえ付けたりすることで道糸保持部を屈曲させる。これにより環状部が形成され、この環状部に道糸を通して保持する。
通常のキャスティングと同様に釣竿を後方から前方に振り出していくと、錘の遠心力によって道糸に作用する張力が増大していく。釣り人は道糸保持部の自由端を指で保持しているので、道糸の張力の全てが指先に伝わる。釣り人は釣竿振り出し中に道糸に生じる張力の変化を指先で敏感に感じ取ることができ、最適なタイミングと判断したとき（例えば遠心力が最大になったと判断したとき）に指を離すことで道糸保持部の自由端を開放する。
道糸保持部の自由端が道糸の張力によって釣竿先端側に引っ張られることで環状部の形成が解かれるので、道糸は錘等と一体となってスプールから繰り出されていく。
このように本発明のリールシートカバー及びリールシートによれば、キャスティング中に道糸が釣り人の指と接触しないため指の怪我を防止できる。また、道糸に生じる張力の大部分が指先に伝わるので釣り人は張力の変化を敏感に感じ取って最適なタイミングでキャスティングすることができ、飛距離をのばすことができる。
また、道糸保持部の自由端を切断することで釣り人の手の大きさや道糸に生じる張力の大きさ等に対応できる。
同様に、道糸保持部をカバー本体に対して脱着自在にして、道糸保持部を適宜交換可能にした場合も釣り人の手の大きさや道糸に生じる張力の大きさ等に対応できる。
【図面の簡単な説明】
【０００８】
【図１】リールシートカバーの構成を示す平面図(a)、斜視図(b)及びリールシートの付近にリールシートカバーを取り付けた状態を示す側面図(c)
【図２】リールシートカバーの変形例を示す斜視図(a)〜(c)
【図３】リールシートカバーの使用方法を説明するための側面図(a)及び(b)
【図４】第2の実施の形態のリールシートカバー及びリールシートを示す斜視図(a)及び(b)
【発明を実施するための形態】
【０００９】
［第1の実施の形態］
本発明のリールシートカバーの第1の実施の形態について説明する。
図1〜図3に示すように、リールシートカバー1はカバー本体10、固定手段20及び道糸保持部30から概略構成される。
カバー本体10はリールシート40の少なくとも一部を覆う部材である。本実施の形態のカバー本体10は半円筒状になっており、リールシート40の表面のうちリール50と対向する部分を覆っている。カバー本体10の後端（竿尻側）から中央付近までのびる切り込み11を備えており、中央に開口12を備えている。カバー本体10の材質は特に限定されるものではなく、合成ゴム、合成樹脂、金属、木材等を使用できる。
なお、図2(a)に示すようにカバー本体10を短くして切り込み11及び開口12を備えないことにしてもよい。
【００１０】
固定手段20はカバー本体10をリールシート40に固定するための部材である。本実施の形態では固定手段20として帯状の面ファスナーを使用している。
リールシートカバー1の使用者（釣り人）は、カバー本体10の後端側から切り込み11を開きながらリール50の脚部を開口12まで移動させ、次に面ファスナー20をリールシート40の周囲に巻きつけて留めることでカバー本体10をリールシート40に固定する。
固定手段20は面ファスナーに限定されず、他にも例えばカバー本体10のリールシート40と接触する側の面に粘着層を設けて、カバー本体10をリールシート40に対して脱着自在に固定させたり、紐をリールシート40の周囲に巻きつけることでカバー本体10をリールシート40に結びつけて固定したりしてもよい。
【００１１】
道糸保持部30は可撓性を有する部材であり、その一方の端部がカバー本体10に固定される。本実施の形態では道糸保持部30の後端の幅が左右方向（長手方向に直交する方向）に広がることでストッパー部31を形成している。カバー本体10の前側に切り込み13を備えており、カバー本体10の表面側から道糸保持部30の前端を切り込み13に挿入し、カバー本体10の裏面側から引っ張り出し、ストッパー部31を切り込み13に引っ掛けることで道糸保持部30をカバー本体10に固定している。
ストッパー部31を逆方向に引っ張って道糸保持部30を切り込み13から抜き取ることで道糸保持部30をカバー本体10に対して脱着自在にして交換できる構造になっている。なお、図2(b)に示すように道糸保持部30とカバー本体10を一体成形することで交換できない構造にしてもよい。また、道糸保持部30としては、図1(a)〜(c)、図2(a)及び(b)に示したような帯状に限らず、図2(c)に示したような中空(チューブ)形状や中実形状などでもよい。
釣り人が道糸保持部30の他方の端部（自由端）を竿尻側に屈曲させることで環状部32が形成され、この環状部32にスプール52からのびる道糸51を通すことで道糸51を保持する。
道糸保持部30の材質は可撓性を有していれば特に限定されず、例えば合成ゴム、合成樹脂等を使用できる。
なお、図3に示すように切り込み13の周囲に金属等から成るガード14を取り付け、ストッパー部31をガード14の表面に接触させるようにすれば、道糸保持部30の交換を繰り返すことで切り込み13に亀裂が生じる事態を防止できる。
【００１２】
次にリールシートカバー1の使用方法について説明する。
図3(a)に示すように釣り人はリールシート40付近を手で握った状態で道糸51を指で引き寄せると共に道糸保持部30を竿尻側に屈曲させることで環状部32を形成し、環状部32内に道糸51を通す。
屈曲した状態の道糸保持部30の自由端は人差し指等でリールシートの表面に押さえ付けたりして保持しておく。
適当なタイミングでリール50のロックを解除することで道糸51は錘の重力によって釣竿先端側に引っ張られるが、道糸51を環状部32内に通しておくことで、道糸51と道糸保持部30との接触箇所に生じる摩擦力によって道糸51は静止状態になる。
釣り人はこの状態で釣竿を振り出すことで、道糸51に生じる張力の変化を指先で敏感に感じ取ることができ、図3(b)に示すように最適なタイミングと判断したときに指を離すことで道糸保持部30の自由端が開放され、道糸51は釣竿先端方向に繰り出されていく。
なお、図3では釣り人は中指と薬指の間にリール50の脚が位置するように握っているが、リールシート40の握り方は適宜変更可能であり、例えば薬指と小指の間にリール50の脚が位置するように握ってもよい。
【００１３】
［第2の実施の形態］
次に、本発明のリールシートカバーの第2の実施の形態及びリールシートについて説明するが、上記第1の実施の形態と同様の構成になる箇所については同一の符号を付してその説明を省略する。
図4(a)に示すように、本実施の形態のリールシートカバー2は、カバー本体60が金属製である点に特徴を有する。
具体的には、カバー本体60がフード41の表面を覆う金属板61と、金属板61の左右から釣竿先端側にのびるアーム62と、左右のアーム62の先端同士を連結する連結棒63を備えている。
図示は省略するが、カバー本体60をリールシート40に固定するための固定手段20としては第1の実施の形態と同様に面ファスナーや紐等を用いればよいが、カバー本体60を接着剤、エポキシ樹脂、溶接等の周知の固定手段によってリールシート40に脱着不能に固定してもよい。
或いは、カバー本体60とフード41とを一体成形したり、道糸保持部30の固定端側を直接リールシート本体40aの一部に固定したりすることで、リールシート40自体が道糸保持部30を備えることにしてもよい。
図4(b)に示すように、道糸保持部30の先端を、金属板61、左右のアーム62及び連結棒63に囲まれて形成される開口64から挿入して、開口64にストッパー部31を引っ掛けることで道糸保持部30をカバー本体60に固定できる。
【産業上の利用可能性】
【００１４】
本発明は、指の怪我を防止し、且つ最適なタイミングでキャスティングできるリールシートカバー及びリールシートに関するものであり、産業上の利用可能性を有する。
【符号の説明】
【００１５】
1 リールシートカバー
2 リールシートカバー
10 カバー本体
11 切り込み
12 開口
13 切り込み
14 ガード
20 固定手段
30 道糸保持部
31 ストッパー部
32 環状部
40 リールシート
40a リールシート本体
41 フード
50 リール
51 道糸
52 スプール
60 カバー本体
61 金属板
62 アーム
63 連結棒
64 開口
【図１】
2019071856.tif 000003
【図２】
2019071856.tif 000004
【図３】
2019071856.tif 000005
【図４】
2019071856.tif 000006
【手続補正書】
【提出日】平成30年3月13日(2018.3.13)
【手続補正１】
【補正対象書類名】特許請求の範囲
【補正対象項目名】全文
【補正方法】変更
【補正の内容】
【特許請求の範囲】
【請求項１】
リールシートの少なくとも一部を覆うカバー本体と、
前記カバー本体をリールシートに固定するための固定手段と、
可撓性を有する部材であり、その一方の端部が前記カバー本体に固定される道糸保持部とを備えており、
釣竿に取り付けられた状態で、前記道糸保持部の他方の端部は釣竿先端方向に位置しており、前記他方の端部が竿尻側に屈曲することで形成される環状部に道糸を通し、前記他方の端部を指で押さえて保持することを特徴とするリールシートカバー。
【請求項２】
前記道糸保持部が前記カバー本体に対して脱着自在であることを特徴とする請求項1に記載のリールシートカバー。
【請求項３】
可撓性を有する部材であり、その一方の端部がリールシート本体に固定される道糸保持部を備えており、
釣竿に取り付けられた状態で、前記道糸保持部の他方の端部は釣竿先端方向に位置しており、前記他方の端部が竿尻側に屈曲することで形成される環状部に道糸を通し、前記他方の端部を指で押さえて保持することを特徴とするリールシート。
【手続補正２】
【補正対象書類名】明細書
【補正対象項目名】０００６
【補正方法】変更
【補正の内容】
【０００６】
本発明のリールシートカバーは、リールシートの少なくとも一部を覆うカバー本体と、前記カバー本体をリールシートに固定するための固定手段と、可撓性を有する部材であり、その一方の端部が前記カバー本体に固定される道糸保持部とを備えており、釣竿に取り付けられた状態で、前記道糸保持部の他方の端部は釣竿先端方向に位置しており、前記他方の端部が竿尻側に屈曲することで形成される環状部に道糸を通し、前記他方の端部を指で押さえて保持することを特徴とする。
また、前記道糸保持部が前記カバー本体に対して脱着自在であることを特徴とする。
本発明のリールシートは、可撓性を有する部材であり、その一方の端部がリールシート本体に固定される道糸保持部を備えており、釣竿に取り付けられた状態で、前記道糸保持部の他方の端部は釣竿先端方向に位置しており、前記他方の端部が竿尻側に屈曲することで形成される環状部に道糸を通し、前記他方の端部を指で押さえて保持することを特徴とする。